(57)【要約】【課題】ホワイトを用いて表示を行う表示部の色に色変換する場合に、適切に彩度を再現することが可能な色変換装置を提供する。【解決手段】色変換装置は、入力画像データの色を、少なくともホワイトを用いて画像を表示する表示部において用いている色へ色変換する。具体的には、色変換装置は、画像データに対して、ＲＧＢに対応するデータを彩度方向に拡大する処理を行う。つまり、ＲＧＢの値のみを拡大する処理を行い、ホワイトの値はそのままの値を用いる。また、輝度値を考慮に入れて、ホワイトの値を調整する処理を行う。これにより、出力画像における全体の彩度を、個々の色をそのまま使用するよりも向上させることができると共に、高輝度でホワイトが追加される色（例えば黄色）に関して、白くなりすぎるのを防止することができる。したがって、色変換した場合に、彩度を適切に再現することが可能となる。【選択図】図４
2008131349.tif 000002
【特許請求の範囲】
【請求項１】
入力画像データの色を、少なくともホワイトを用いて画像を表示する表示部において用いている色へ色変換する色変換装置であって、
画像データに対して、ＲＧＢに対応するデータを彩度方向に拡大する処理を行う色拡大手段を備えることを特徴とする色変換装置。
【請求項２】
前記色拡大手段によって処理後の画像データに対して、輝度に基づいて、ホワイトの値を調整する処理を行うホワイト値調整手段を更に備えることを特徴とする請求項１に記載の色変換装置。
【請求項３】
前記ホワイト値調整手段は、標準色空間における色の輝度比率から、ホワイトが追加されたデータにおける輝度値を計算し、前記輝度値に基づいて前記ホワイトの値を減少させる処理を行うことを特徴とする請求項２に記載の色変換装置。
【請求項４】
前記色拡大手段は、前記拡大を行う際に用いる拡大率をＲＧＢごとに設定すると共に、前記ホワイト及びグレー軸上の色が拡大されないように前記処理を行うことを特徴とする請求項１乃至３のいずれか一項に記載の色変換装置。
【請求項５】
ＲＧＢにおける色再現域の点と、前記表示部が用いている色における色再現域の点とを対応付けることにより、前記入力画像データを、前記表示部が用いている色のデータに割り当てる処理を行う割り当て手段を有し、
前記色拡大手段は、前記割り当て手段による処理後の画像データに対して処理を行うことを特徴とする請求項１乃至４のいずれか一項に記載の色変換装置。
【請求項６】
前記色拡大手段による処理後の画像データを、ＲＧＢのデータに変換する処理を行う変換手段と、
前記変換手段による処理後の画像データを、ホワイトに含まれるＲＧＢの成分に基づいて、前記表示部が用いている色のデータに分離する処理を行う分離手段と、を有し、
前記ホワイト値調整手段は、前記分離手段による処理後の画像データに対して処理を行うことを特徴とする請求項２乃至５のいずれか一項に記載の色変換装置。
【請求項７】
前記変換手段は、前記色拡大手段による処理後の画像データを、前記表示部の原色データに基づいてＸＹＺ値に変換し、前記ＸＹＺ値を前記表示部が用いるホワイトに基づいてＲＧＢのデータに変換することを特徴とする請求項６に記載の色変換装置。
【請求項８】
前記分離手段は、
前記ホワイトに含まれるＲＧＢの成分に基づいてホワイトの値を求め、
前記変換手段による処理後のＲＧＢの値から、前記求められたホワイトに含まれるＲＧＢの成分を減算した値を、新たなＲＧＢの値とすることを特徴とする請求項６に記載の色変換装置。
【請求項９】
前記分離手段において、
グレー軸上のデータは、各色のデータが同じ値になるようにホワイトの値を求め、
前記グレー軸上のデータ以外のデータは、前記ホワイトに含まれるＲＧＢの成分に基づいて、前記変換手段による処理後のＲＧＢの値からホワイトの値をそれぞれ減じた値を求め、前記ホワイトの値を減じた値において最小となる値をホワイトの値として求めることを特徴とする請求項８に記載の色変換装置。
【請求項１０】
前記表示部は、Ｒｅｄ、Ｇｒｅｅｎ、Ｂｌｕｅ、及びＷｈｉｔｅを用いて表示を行うことを特徴とする請求項１乃至９のいずれか一項に記載の色変換装置。
【請求項１１】
入力画像データの色を、少なくともホワイトを用いて画像を表示する表示部において用いている色へ色変換する色変換方法であって、
画像データに対して、ＲＧＢに対応するデータを彩度方向に拡大する処理を行う色拡大工程を備えることを特徴とする色変換方法。
【請求項１２】
入力画像データの色を、少なくともホワイトを用いて画像を表示する表示部において用いている色へ色変換するための色変換プログラムであって、
コンピュータを、
画像データに対して、ＲＧＢに対応するデータを彩度方向に拡大する処理を行う色拡大手段として機能させることを特徴とする色変換プログラム。
【請求項１３】
請求項１２に記載の色変換プログラムを記録した、コンピュータ読み取り可能な記録媒体。
【請求項１４】
入力画像データの色を、少なくともホワイトを用いて画像を表示する表示部において用いている色へ色変換された画像データに基づいて画像処理する画像処理装置であって、
画像データに対して、ＲＧＢに対応するデータを彩度方向に拡大する処理を行う色拡大手段と、
前記色拡大手段による処理後の画像データに基づいて画像処理する画像処理手段と、を備えることを特徴とする画像処理装置。
【請求項１５】
請求項１４に記載の画像処理装置と、
前記画像処理装置によって画像処理された画像データを表示する表示部と、を備えることを特徴とする画像表示装置。
【発明の詳細な説明】
【技術分野】
【０００１】
本発明は、入力された画像データの色を、画像を表示する表示部が用いる色へ色変換する色変換技術に関する。
【背景技術】
【０００２】
従来から、４以上の色を用いて、画像を表示可能な画像表示装置が知られている（以下、画像データを表す基本となる色を「原色」とも呼ぶ。）。このような画像表示装置では、入力される画像データが３原色であるため、画像データを多原色（例えば、４原色）に色変換している。例えば、特許文献１には、Ｒ（赤）、Ｇ（緑）、Ｂ（青）の他に、Ｗ（白）を追加して、出力映像の輝度を向上させる技術が記載されている。この技術では、ＲＧＢの値を用いて拡大率を求めて拡大し、ＲＧＢのデータからＲＧＢＷのデータに分離している。また、ディスプレイの原色は、そのまま色変換後の原色として全ての色を変換している。
【０００３】
【特許文献１】特開２００３−２９５８１２号公報
【発明の開示】
【発明が解決しようとする課題】
【０００４】
しかしながら、ＲＧＢＷの４原色を用いた場合、３原色を用いる場合よりもカラーフィルタの面積が小さくなるため、カラフルネス（色鮮やかさ）が低下してしまう場合があった。また、出力映像における全体的な彩度が低下してしまう場合があった。特に、輝度が高い色が低彩度に再現されてしまう可能性が高かった。
【０００５】
本発明は、以上の点に鑑みてなされたものであり、ホワイトを用いて表示を行う表示部の色に色変換する場合に、適切に彩度を再現することが可能な色変換装置、色変換方法、色変換プログラム、色変換プログラムを記録した記録媒体、及び画像処理装置、並びに画像表示装置を提供することを課題とする。
【課題を解決するための手段】
【０００６】
本発明の１つの観点では、入力画像データの色を、少なくともホワイトを用いて画像を表示する表示部において用いている色へ色変換する色変換装置は、画像データに対して、ＲＧＢに対応するデータを彩度方向に拡大する処理を行う色拡大手段を備える。
【０００７】
上記の色変換装置は、入力画像データの色を、少なくともホワイトを用いて画像を表示する表示部において用いている色へ色変換するために好適に利用される。具体的には、色拡大手段は、画像データに対して、ＲＧＢに対応するデータを彩度方向に拡大する処理を行う。詳しくは、ＲＧＢの値のみを拡大する処理を行い、ホワイトの値（以下、「Ｗ値」と表記する。）はそのままの値を用いる。上記の色変換装置によれば、出力画像における全体の彩度を、個々の色をそのまま使用するよりも向上させることが可能となる。即ち、色変換した場合に、彩度を適切に再現することができる。
【０００８】
上記の色変換装置の一態様では、前記色拡大手段によって処理後の画像データに対して、輝度に基づいて、ホワイトの値を調整する処理を行うホワイト値調整手段を更に備える。
【０００９】
この態様では、色変換装置は、輝度値を考慮に入れて、画像データにおけるＷ値を調整する処理を行う。具体的には、輝度値に応じて、Ｗ値を減少させる処理を行う。これにより、高輝度でホワイトが追加される色（例えばＹｅｌｌｏｗ（黄色）など）に関して、白くなりすぎるのを防止することができ、彩度を適切に再現することが可能となる。
【００１０】
上記の色変換装置において好適には、前記ホワイト値調整手段は、標準色空間における色の輝度比率から、ホワイトが追加されたデータにおける輝度値を計算し、前記輝度値に基づいて前記ホワイトの値を減少させる処理を行う。これにより、Ｗ値を適切に減少させて、輝度を効果的に減少させることができる。よって、高輝度部における彩度を適切に再現することが可能となる。
【００１１】
上記の色変換装置の他の一態様では、前記色拡大手段は、前記拡大を行う際に用いる拡大率をＲＧＢごとに設定すると共に、前記ホワイト及びグレー軸上の色が拡大されないように前記処理を行う。これにより、拡大によりグラデーションのバランスが崩れてしまうことを防止することができると共に、拡大によりホワイト及びグレー軸が影響を受けてしまうことを防止することができる。
【００１２】
上記の色変換装置において好適には、前記色拡大手段による処理後の画像データを、ＲＧＢのデータに変換する処理を行う変換手段と、前記変換手段による処理後の画像データを、ホワイトに含まれるＲＧＢの成分に基づいて、前記表示部が用いている色のデータに分離する処理を行う分離手段と、を有し、前記ホワイト値調整手段は、前記分離手段による処理後の画像データに対して処理を行う。
【００１３】
好ましくは、前記変換手段は、前記色拡大手段による処理後の画像データを、前記表示部の原色データに基づいてＸＹＺ値に変換し、前記ＸＹＺ値を前記表示部が用いるホワイトに基づいてＲＧＢのデータに変換する。これにより、表示部におけるホワイトに色順応したＲＧＢの値を得ることが可能となる。
【００１４】
また、上記の色変換装置において好適には、前記分離手段は、前記ホワイトに含まれるＲＧＢの成分に基づいてホワイトの値を求め、前記変換手段による処理後のＲＧＢの値から、前記求められたホワイトに含まれるＲＧＢの成分を減算した値を、新たなＲＧＢの値とすることができる。
【００１５】
更に、前記分離手段において、グレー軸上のデータは、各色のデータが同じ値になるようにホワイトの値を求め、前記グレー軸上のデータ以外のデータは、前記ホワイトに含まれるＲＧＢの成分に基づいて、前記変換手段による処理後のＲＧＢの値からホワイトの値をそれぞれ減じた値を求め、前記ホワイトの値を減じた値において最小となる値をホワイトの値として求めることが好ましい。
【００１６】
好適な例では、前記表示部は、Ｒｅｄ（赤）、Ｇｒｅｅｎ（緑）、Ｂｌｕｅ（青）、及びＷｈｉｔｅ（白）を用いて表示を行う。
【００１７】
本発明の他の観点では、入力画像データの色を、少なくともホワイトを用いて画像を表示する表示部において用いている色へ色変換する色変換方法は、画像データに対して、ＲＧＢに対応するデータを彩度方向に拡大する処理を行う色拡大工程を備える。
【００１８】
本発明の他の観点では、入力画像データの色を、少なくともホワイトを用いて画像を表示する表示部において用いている色へ色変換するための色変換プログラムは、コンピュータを、画像データに対して、ＲＧＢに対応するデータを彩度方向に拡大する処理を行う色拡大手段として機能させる。
【００１９】
上記した色変換方法及び色変換プログラムを実行することによっても、ホワイトを用いて表示を行う表示部の色に色変換する場合に、彩度を適切に再現することが可能となる。
【００２０】
なお、色変換プログラムを記録した記録媒体としては、フレキシブルディスクやＣＤ−ＲＯＭ、ＩＣカードなど、コンピュータが読み取り可能な種々の媒体を利用することができる。
【００２１】
本発明の更に他の観点では、入力画像データの色を、少なくともホワイトを用いて画像を表示する表示部において用いている色へ色変換された画像データに基づいて画像処理する画像処理装置は、画像データに対して、ＲＧＢに対応するデータを彩度方向に拡大する処理を行う色拡大手段と、前記色拡大手段による処理後の画像データに基づいて画像処理する画像処理手段と、を備える。このような画像処理装置によれば、ホワイトを用いて表示を行う表示部に対して、彩度が適切に再現された画像を表示させることができる。
【００２２】
上記の画像処理装置は、画像データを表示する表示部を備える画像表示装置に好適に適用することができる。
【発明を実施するための最良の形態】
【００２３】
以下、図面を参照して本発明の好適な実施形態について説明する。
【００２４】
［全体構成］
図１は、本実施形態に係る画像表示装置１００の概略構成を示すブロック図である。画像表示装置１００は、外部から画像データと制御コマンドを取得して画像データに対して画像処理を行う画像処理部１０と、画像処理部１０で画像処理された画像データを表示する表示部２０とを備える。なお、画像表示装置１００は、多色を用いて画像を表示可能に構成されている（以下、画像データを表す基本となる色を「原色」とも呼ぶ）。具体的には、画像表示装置１００は、Ｒｅｄ、Ｇｒｅｅｎ、Ｂｌｕｅ、及びＷｈｉｔｅ（ホワイト）の４原色（以下、単に「Ｒ」、「Ｇ」、「Ｂ」、「Ｗ」とも表記する。）を表示可能に構成されている。
【００２５】
画像処理部１０は、Ｉ／Ｆ制御回路１１と、色変換回路１２と、ＶＲＡＭ（Video RAM）１３と、アドレス制御回路１４と、テーブル格納メモリ１５と、γ補正回路１６と、を備える。
【００２６】
Ｉ／Ｆ制御回路１１は、外部（例えばカメラなど）から画像データと制御コマンドを取得し、画像データｄ１を色変換回路１２に供給する。色変換回路１２は、主に、取得した画像データｄ１に対して、３原色から４原色に色変換する処理を行う。色変換回路１２で画像処理された画像データｄ２は、ＶＲＡＭ１３に書き込まれる。ＶＲＡＭ１３に書き込まれた画像データｄ２は、アドレス制御回路１４からの制御信号ｄ２１に基づいて、γ補正回路１６によって画像データｄ３として読み出される。同時に、表示前データに対応するアドレス信号ｄ４が表示部２０内の走査線駆動回路２２に供給される。これにより、データ線駆動回路２１と走査線駆動回路２２とが同期して表示パネル２３を駆動することが可能となる。また、γ補正回路１６は、テーブル格納メモリ１５に記憶された補正データに基づいて、取得した画像データｄ３に対してγ補正を行う。そして、γ補正回路１６は、γ補正後の画像データｄ５を表示部２０内のデータ線駆動回路２１に供給する。
【００２７】
表示部２０は、データ線駆動回路２１と、走査線駆動回路２２と、表示パネル２３と、を備える。データ線駆動回路２１は、９６０本のデータ線に対してデータ線駆動信号Ｘ１〜Ｘ９６０を供給し、走査線駆動回路２２は、３２０本の走査線に対して走査線駆動信号Ｙ１〜Ｙ３２０を供給する。詳しくは、走査線駆動回路２２は、一定周期で横方向の画素列を選択し、データ線駆動回路２１は、走査線駆動回路２２において選択される画素列に対して各々に対応する駆動信号を供給する。この場合、データ線駆動回路２１と走査線駆動回路２２は、同期して表示パネル２３を駆動することとなる。表示パネル２３は、液晶（ＬＣＤ）などによって構成され、走査線及びデータ線に電圧を印加されることによって、表示すべき文字や映像などの画像を表示する。また、表示パネル２３は、前述した４原色ＲＧＢＷを表示可能に構成されている。
【００２８】
なお、上記したＶＲＡＭ１３は、同じ表示データを繰り返し表示する際、低消費電力化に有効な手段となるが、低消費電力化に拘らなければ、ＶＲＡＭ１３を用いずに画像表示装置１００を構成することも可能である。その場合には、アドレス制御回路１４と走査線駆動回路２２とを直接接続すると共に、走査線駆動回路２２及びデータ線駆動回路２１を同期させて表示を行う。
【００２９】
また、上記では、ＬＣＤを用いて表示部２０を構成する例を示したが、多原色表示を行う表示部に、ＬＣＤ以外の任意の表示デバイスを用いることも可能である。例えば、ＣＲＴ、ＰＤＰ、ＯＬＥＤ、ＦＥＤなど平面表示を行う表示デバイスのほか、ＬＣＰ、ＰＴVなど投射を行う表示デバイスを用いることができる。
【００３０】
図２は、上記した色変換回路１２及びテーブル格納メモリ１５の具体的な構成を示すブロック図である。色変換回路１２は、入力側１ＤＬＵＴ変換部１２１ｒ、１２１ｇ、１２１ｂと、色変換部１２２と、出力側１ＤＬＵＴ変換部１２３ｒ、１２３ｇ、１２３ｂ、１２３ｗと、を備える。また、テーブル格納メモリ１５は、入力側１ＤＬＵＴ記憶部１５１と、色変換パラメータ記憶部１５２と、出力側１ＤＬＵＴ記憶部１５３と、を備える。
【００３１】
入力側１ＤＬＵＴ変換部１２１ｒ〜ｂは、入力側１ＤＬＵＴ記憶部１５１に記憶された１ＤＬＵＴ（以下、「入力側１ＤＬＵＴ」と呼ぶ。）を用いて、入力された画像データＲ１、Ｇ１、Ｂ１に対してγ調整を行う。このようにγ調整を行うのは、通常カメラなどによって既にγ変換されている入力された画像データＲ１、Ｇ１、Ｂ１を線形化するためである。なお、画像データＲ１、Ｇ１、Ｂ１は、前述した画像データｄ１に対応する。また、画像データＲ１は原色Ｒｅｄ（赤）に対応するデータであり、画像データＧ１は原色Ｇｒｅｅｎ（緑）を示すデータであり、画像データＢ１は原色Ｂｌｕｅ（青）を示すデータである（以下、「Ｒ」、「Ｇ」、「Ｂ」、「Ｗ」の後に数字を付した符号は、上記した原色を示すデータを表すものとする）。
【００３２】
色変換部１２２は、色変換パラメータ記憶部１５２に記憶された色変換パラメータを用いて、入力側１ＤＬＵＴ変換部１２１ｒ〜ｂで処理された画像データＲ２、Ｇ２、Ｂ２に対して３原色から４原色に色変換を行う。具体的には、色変換部１２２は、ＲＧＢの３原色から、Ｗｈｉｔｅを追加したＲＧＢＷの４原色へ色変換する。この場合、色変換部１２２は、入力値に対応する出力値のテーブル（以下、「３ＤＬＵＴ」と呼ぶ。）を色変換パラメータとして用いて変換を行う。なお、色変換方法及び３ＤＬＵＴの作成方法などは、詳細は後述する。
【００３３】
出力側１ＤＬＵＴ変換部１２３ｒ〜ｗは、出力側１ＤＬＵＴ記憶部１５３に記憶された１ＤＬＵＴ（以下、「出力側１ＤＬＵＴ」と呼ぶ。）を用いて、色変換部１２２で処理された画像データＲ３、Ｇ３、Ｂ３、Ｗ３に対してγ調整を行う。このようにγ調整を行うのは、３ＤＬＵＴで変換を行うために線形にしたガンマを、元のガンマカーブに戻すためである。そして、出力側１ＤＬＵＴ変換部１２３ｒ〜ｗは、出力側１ＤＬＵＴ変換後の画像データＲ４、Ｇ４、Ｂ４、Ｗ４を、前述したＶＲＡＭ１３に対して出力する。これらの画像データＲ４、Ｇ４、Ｂ４、Ｗ４は、前述した画像データｄ２に対応する。
【００３４】
［色変換装置］
次に、本実施形態に係る色変換装置について説明する。本実施形態では、前述したように、入力されたＲＧＢの３原色のデータを、表示部２０が用いるＲＧＢＷの４原色のデータへ色変換する処理を行う。色変換装置は、このような色変換する際に用いる３ＤＬＵＴを作成する。この場合、色変換装置は、ＲＧＢのデータをＲＧＢＷのデータに色変換した場合に、適切に彩度を再現できるように（言い換えると低彩度になってしまうことが防止されるように）、３ＤＬＵＴを作成する。なお、以下では、表示部２０のことを単に「デバイス」とも呼ぶ。また、入力に標準色空間を想定しているため、入力のことを「ターゲット」、又は「ターゲットカラー」とも呼ぶ。
【００３５】
図３は、色変換装置の概略構成を示すブロック図である。色変換装置５０は、最外郭面グリッド計算部５１と、最外郭面計算部５２と、デバイスデータ格納メモリ５３と、原色拡大部５４と、拡大率パラメータ決定部５５と、ＲＧＢＷ→ＸＹＺ→ＲＧＢ変換部５６と、ＲＧＢＷ分離部５７と、Ｗ値調整部５８と、を有する。なお、色変換装置５０を前述した色変換回路１２に組み込んでも良い。この場合には、色変換回路１２内の色変換部１２２が、３ＤＬＵＴの作成、及びこれを用いた色変換を行う。
【００３６】
最外郭面グリッド計算部５１は、ターゲットカラーがＲＧＢ値で入力されると、デバイスが用いる色の色再現域（詳しくは、最外郭面計算部５２が計算した色再現域の最外郭面に対応する）を参照して、ターゲットカラーとデバイスが用いる色の頂点を対応付け、ＲＧＢのデータをＲＧＢＷのデータへ対応付ける。即ち、最外郭面グリッド計算部５１は、入力されたＲＧＢのデータをＲＧＢＷのデータに割り当てる処理、言い換えると分離する処理を行う。この場合、最外郭面計算部５２は、デバイスデータ格納メモリ５３に記憶されたデバイスデータに基づいて最外郭面を計算する。原色拡大部５４は、最外郭面グリッド計算部５１で処理されたＲＧＢＷのデータに対して、ＲＧＢの原色ベクトルのみを彩度方向に拡大する処理を行う。即ち、ＲＧＢ値のみを拡大する処理を行い、Ｗ値はそのままの値を用いる。詳しくは、原色拡大部５４は、拡大率パラメータ決定部５５から拡大率を取得し、これに基づいて原色ベクトルを拡大する処理を行う。
【００３７】
ＲＧＢＷ→ＸＹＺ→ＲＧＢ変換部５６は、原色拡大部５４によって処理されたＲＧＢＷのデータをデバイスにおける白に基づいてＸＹＺ値に変換し、更にＸＹＺ値をＲＧＢ値に変換する処理を行う。ＲＧＢＷ分離部５７は、ＲＧＢＷ→ＸＹＺ→ＲＧＢ変換部５６で処理されたＲＧＢのデータをＲＧＢＷのデータに分離する。Ｗ値調整部５８は、ＲＧＢＷ分離部５７で処理されたＲＧＢＷのデータに対して、輝度のバランスに基づいてＷ値を調整する処理を行う。
【００３８】
以上のように、最外郭面グリッド計算部５１は割り当て手段として機能し、原色拡大部５４は色拡大手段として機能し、ＲＧＢＷ→ＸＹＺ→ＲＧＢ変換部５６は変換手段として機能し、ＲＧＢＷ分離部５７は分離手段として機能し、Ｗ値調整部５８はホワイト値調整手段として機能する。
【００３９】
［３ＤＬＵＴの作成方法］
次に、本実施形態に係る３ＤＬＵＴの作成方法について、詳細に説明する。
【００４０】
図４は、３ＤＬＵＴの作成処理を示すフローチャートである。この処理は、前述した色変換装置５０によって実行される。
【００４１】
まず、ステップＳ１０１では、色変換装置５０内の最外郭面計算部５２が、最外郭面の頂点座標（グリッド）を求める。即ち、デバイスが用いる色の色再現域を参照して、ターゲットカラーとデバイスが用いる色の頂点を対応付け、ＲＧＢのデータからＲＧＢＷのデータへの対応付けを行う。
【００４２】
ここで、図５及び図６を参照して、ステップＳ１０１の処理をより具体的に説明する。
【００４３】
図５（ａ）〜（ｃ）は、それぞれ、縦軸にＧ成分を示し（以下、この軸を「Ｇ軸」とも呼ぶ）、横軸にＲ成分を示し（以下、この軸を「Ｒ軸」とも呼ぶ。）、色再現域を平面図として表示している。図５（ａ）中の四角形８０は、ターゲットの色再現域の最外郭面を示しており、図５（ｂ）中の六角形８１は、デバイス（表示部２０）の色再現域の最外郭面を示している。即ち、三次元空間上において六面体であるＲＧＢの色再現域を二次元上において四角形８０によって表しており、三次元空間上において十二面体であるＲＧＢＷの色再現域を六角形８１によって表している。また、図中の黒丸は、色再現域の最外郭面上に位置するグリッドの点を表している。なお、Ｒ軸と同じ方向の最外郭面はＲ成分に相当し、Ｇ軸と同じ方向の最外郭面はＧ成分に相当し、Ｋ（黒）からＷ（白）へ向かう斜めの最外郭面はＷ成分に相当する。
【００４４】
本実施形態では、図５（ａ）中に英小文字で示したグリッド点を、図５（ｂ）中に英大文字で示したグリッド点に対応付ける。例えば、図５（ａ）のグリッド点ｐ１、ｐ２、ｐ３、ｐ４、ｐ５を、それぞれ図５（ｂ）のグリッド点Ｐ１、Ｐ２、Ｐ３、Ｐ４、Ｐ５に対応付ける。ここで、グリッド点ｐ１とｐ５は黒と白を表し、グリッド点ｐ４はその中間であるためグレーを表す。また、グリッド点ｐ３はＲ成分が一番大きくなっており、赤の彩度が最大である事を表す。つまり、グリッド点ｐ１からグリッド点ｐ５までは白のベクトルを表し、グリッド点ｐ１からグリッド点ｐ３までは原色赤のベクトルを表している。このように色成分ベクトル上にあるグリッド点を、ＲＧＢＷにおける色再現域でもターゲットのグリッド間隔と同様の間隔で割り当てる。これに対して、グリッド点ｐ６は、ＲＧＢＷにおける色再現域が最大となるように対応付けるために、最外郭面上のグリッド点Ｐ６に割り当てる。
【００４５】
更に説明すると、上記したような対応付けは、ターゲットとなるＲＧＢ３原色の原色ベクトルをＲＧＢＷの原色ベクトルに合わせることである。具体的には、まず、ターゲットの原色ベクトルを４原色の原色ベクトルの大きさまで縮小する（図５（ｃ）中の白抜き矢印参照）。ここで、原色の頂点が合うため、原色の頂点と中間点が対応される。ＲＧＢＷの色再現域では白側に６つの頂点があり、ＲＧＢの色再現域には頂点がないため、頂点での対応はできない。そこで原色からＷにかけての中間のグリッドを白側の６つの頂点に割り当てる。また、白は白に割り当てる。
【００４６】
図６は、上記のように色を割り当てた場合に得られた対応表を示す。この場合、図５（ａ）、（ｂ）に示すグリッド点ｐ１、Ｐ１は「G.No 0」に対応し、グリッド点ｐ２、Ｐ２は「G.No 9」に対応し、グリッド点ｐ３、Ｐ３は「G.No 18」に対応し、グリッド点ｐ４、Ｐ４は「G.No 22」に対応し、グリッド点ｐ５、Ｐ５は「G.No 26」に対応し、グリッド点ｐ６、Ｐ６は「G.No 13」に対応する。
【００４７】
図４に戻って、３ＤＬＵＴの作成処理の説明を行う。上記したようなステップＳ１０１の処理が終了すると、処理はステップＳ１０２に進む。
【００４８】
ステップＳ１０２では、色変換装置５０内の原色拡大部５４が、原色拡大処理を実行する。具体的には、原色拡大部５４は、最外郭面グリッド計算部５１で処理されたＲＧＢＷのデータに対して、ＲＧＢの原色ベクトルのみを彩度方向に拡大する処理を行う。このように原色を拡大して計算することにより、出力画像における全体の彩度を、個々の原色をそのまま使用するよりも向上させることが可能となる。以上の処理が終了すると、処理はステップＳ１０３に進む。
【００４９】
ステップＳ１０３では、色変換装置５０内のＲＧＢＷ→ＸＹＺ→ＲＧＢ変換部５６が、ＲＧＢＷ→ＸＹＺ→ＲＧＢ変換処理を実行する。具体的には、ＲＧＢＷ→ＸＹＺ→ＲＧＢ変換部５６は、原色拡大部５４によって処理されたＲＧＢＷをデバイスにおける白に基づいてＸＹＺ値に変換し、更にこのＸＹＺ値をＲＧＢ値に変換する処理を行う。このような処理を行うことにより、デバイスにおける白に色順応したターゲットカラーの値を得ることができる。そして、処理はステップＳ１０４に進む。
【００５０】
ステップＳ１０４では、色変換装置５０内のＲＧＢＷ分離部５７が、ＲＧＢＷ分離処理を実行する。具体的には、ＲＧＢＷ分離部５７は、ＲＧＢＷ→ＸＹＺ→ＲＧＢ変換部５６で処理されたＲＧＢのデータを、原色Ｗのベクトル成分を考慮して、ＲＧＢＷのデータに分離する。そして、処理はステップＳ１０５に進む。
【００５１】
ステップＳ１０５では、色変換装置５０内のＷ値調整部５８が、Ｗ値調整処理を実行する。具体的には、Ｗ値調整部５８は、ＲＧＢＷ分離部５７で処理されたＲＧＢＷのデータに対して、輝度のバランスに基づいてＷ値を調整する処理を行う。このようにＷ値を調整することにより、高輝度で原色Ｗが追加される色（例えばＹｅｌｌｏｗ（黄色）など）に関して、白くなりすぎるのを防止することができ、彩度を適切に再現することが可能となる。以上の処理が終了すると、処理は当該フローを抜ける。なお、入力されるＲＧＢのデータ（ターゲットカラー）と、ステップＳ１０５におけるＷ値調整処理後のＲＧＢＷのデータとを対応付けたものが３ＤＬＵＴとなる。
【００５２】
以下では、前述した原色拡大処理、ＲＧＢＷ→ＸＹＺ→ＲＧＢ変換処理、及びＲＧＢＷ分離処理、並びにＷ値調整処理について詳細に説明する。
【００５３】
（原色拡大処理）
ここで、図７、図８、及び図９を参照して、原色拡大処理について説明する。
【００５４】
図７は、原色拡大処理を示すフローチャートである。原色拡大処理は、色変換装置５０内の原色拡大部５４及び拡大率パラメータ決定部５５が実行する。原色拡大処理は、最外郭面グリッド計算部５１で処理されたＲＧＢＷのデータに対して、ＲＧＢの原色ベクトルのみを彩度方向に拡大する処理である。なお、この処理は、前述した３ＤＬＵＴの作成処理（図４参照）のステップＳ１０２で実行される。
【００５５】
まず、ステップＳ２０１では、拡大率パラメータ決定部５５が、ＲＧＢの原色ベクトルそれぞれに対して拡大率を決定する。即ち、ＲＧＢの原色ベクトル個々に対して拡大率を指定する。こうするのは、同じ拡大率を指定するとグラデーションのバランスが崩れる場合があるからである。例えば、拡大率パラメータ決定部５５は、Ｒ、Ｇ、Ｂに対する拡大率を、それぞれ、「１．１倍」、「１．０倍」、及び「１．３倍」に設定する。そして、処理はステップＳ２０２に進む。なお、拡大率は、上記のように拡大率パラメータ決定部５５が決定する代わりに、ユーザーなどが指定しても良い。
【００５６】
ステップＳ２０２では、原色拡大部５４は、ステップＳ２０１で決定された拡大率に基づいて変換行列（以下、「拡大用変換行列」と呼ぶ。）を作成する。具体的には、原色拡大部５４は、以下の式（１）に従って、拡大用変換行列を作成する。
【００５７】
【数１】
2008131349.tif 000003
式（１）において、「αＲ」はＲの原色ベクトルの拡大率を示し、「αＧ」はＧの原色ベクトルの拡大率を示し、「αＢ」はＢの原色ベクトルの拡大率を示している。ここで、この拡大用変換行列を用いた変換について、図８を参照して説明する。
【００５８】
図８は、原色拡大処理を具体的に説明するための図であり、横軸にＲ成分を示し、縦軸にＧ成分を示している。本実施形態では、例えば図８中の太線で表された破線で示すように、ＲＧＢＷ４原色の原色ベクトルよりも外側に向かった原色ベクトルを作成する。ここで、ＲＧＢＷにおいて、ＲＧＢのデータのみに対して拡大を行い、Ｗのデータは拡大しない。こうするのは、Ｗは内部の彩度を上昇させる役割を果たさないからである。なお、拡大してもグレー軸に影響を及ぼさないように、ＲＧＢに同じ数字が入るとＲＧＢの拡大率が「１」になるように拡大用変換行列を設定している（式（１）参照）。
【００５９】
図７に戻って、説明する。上記のように拡大用変換行列が決定されると、処理はステップＳ２０３に進む。ステップＳ２０３では、原色拡大部５４は、ステップＳ２０２で決定された拡大用変換行列を用いて、ＲＧＢのデータを変換する。即ち、拡大後のＲＧＢ値を計算する。以上の処理が終了すると、処理は当該フローを抜ける。
【００６０】
以上の原色拡大処理によれば、出力画像における全体の彩度を、個々の原色をそのまま使用するよりも向上させることが可能となる。
【００６１】
図９は、原色拡大処理を行った場合の結果の一例を示している。図９（ａ）は、左側に、最外郭面計算部５２が求めた最外郭面のグリッドを示し、右側に、求められた最外郭面のグリッドに対して原色拡大処理を実行したときの結果を示している。更に、図９（ｂ）は、このような原色拡大処理に用いた拡大率を示し、図９（ｃ）は、拡大率に基づいて表された拡大用変換行列を示している。
【００６２】
（ＲＧＢＷ→ＸＹＺ→ＲＧＢ変換処理）
次に、図１０、図１１、及び図１２を参照して、ＲＧＢＷ→ＸＹＺ→ＲＧＢ変換処理について説明する。
【００６３】
図１０は、ＲＧＢＷ→ＸＹＺ→ＲＧＢ変換処理を示すフローチャートである。ＲＧＢＷ→ＸＹＺ→ＲＧＢ変換処理は、色変換装置５０内のＲＧＢＷ→ＸＹＺ→ＲＧＢ変換部５６が実行する。この処理は、原色拡大部５４によって処理されたＲＧＢＷをデバイスにおける白に基づいてＸＹＺ値に変換し、更にＸＹＺ値をＲＧＢ値に変換する処理である。なお、ＲＧＢＷ→ＸＹＺ→ＲＧＢ変換処理は、前述した３ＤＬＵＴの作成処理（図４参照）のステップＳ１０３で実行される。
【００６４】
まず、ステップＳ３０１では、ＲＧＢＷ→ＸＹＺ→ＲＧＢ変換部５６は、ＲＧＢＷ値からＸＹＺ値を計算する。具体的には、ＲＧＢＷ４原色を用いるデバイスの原色ＸＹＺ値とグリッドのデータからＬＵＴをＸＹＺ値で計算する。ここで、以下の式（２）に、ＲＧＢＷ値からＸＹＺ値に変換する際に用いる変換行列（以下、「ＲＧＢＷ→ＸＹＺ用変換行列」と呼ぶ。）を示す。
【００６５】
【数２】
2008131349.tif 000004
ＲＧＢＷ→ＸＹＺ→ＲＧＢ変換部５６は、式（２）に示すＲＧＢＷ→ＸＹＺ用変換行列を用いて変換を行う。そして、処理はステップＳ３０２に進む。
【００６６】
ステップＳ３０２では、ＲＧＢＷ→ＸＹＺ→ＲＧＢ変換部５６は、ステップＳ３０１で得られたＸＹＺ値からＲＧＢ値を計算する。具体的には、逆変換を行うことによって、ＸＹＺ値をＲＧＢ値に戻す。以下の式（３）に、この変換に用いる変換行列（以下、「ＸＹＺ→ＲＧＢ用変換行列」と呼ぶ。）を示す。
【００６７】
【数３】
2008131349.tif 000005
ＲＧＢＷ→ＸＹＺ→ＲＧＢ変換部５６は、式（３）に示すＸＹＺ→ＲＧＢ用変換行列を用いて変換を行う。以上の処理が終了すると、処理は当該フローを抜ける。上記の処理を行うことにより、デバイスにおける白に色順応したターゲットカラーの値を得ることができる。なお、色順応を行う場合はＸＹＺ→ＲＧＢの変換行列に含めて行うが、基本はデバイスにおける白を出力する。
【００６８】
図１１は、ＲＧＢＷ→ＸＹＺ→ＲＧＢ変換処理を行った場合の結果の一例を示している。図１１（ａ）は、左に、原色拡大処理を実行したときの結果を示しており（図９に示すものと同一である）、中央に、原色拡大処理後の値をＸＹＺ値に変換したときの結果を示しており、右に、ＸＹＺ値をＲＧＢ値に変換したときの結果を示している。また、図１１（ｂ）及び図１１（ｃ）は、ＲＧＢＷ→ＸＹＺ→ＲＧＢ変換処理に用いた、ＲＧＢＷ→ＸＹＺ用変換行列及びＸＹＺ→ＲＧＢ用変換行列をそれぞれ示している。
【００６９】
ここで、図１２を参照して、ＲＧＢＷ→ＸＹＺ用変換行列の求めた方について説明する。図１２（ａ）は、上に、デバイスより得られたＲＧＢＷのＸＹＺ値を示し、下にＸＹＺ値を正規化した値を示す。本実施形態では、このようにＸＹＺ値を正規化した値を用いてＲＧＢＷ→ＸＹＺ用変換行列を表している。即ち、ＲＧＢＷにおけるＸＹＺ値を正規化した値を、それぞれ、前述した式（２）中のＸＲ、ＹＲ、ＺＲ、…、ＸＷ、ＹＷ、ＺＷに代入することによってＲＧＢＷ→ＸＹＺ用変換行列を得ている。図１２（ｂ）は、こうして得られたＲＧＢＷ→ＸＹＺ用変換行列を示している（図１１（ｂ）に示す行列と同様のものである）。なお、ＸＹＺ→ＲＧＢ用変換行列も、上記した正規化した値を、それぞれ、式（３）中のＸＲ、ＹＲ、ＺＲ、…、ＸＷ、ＹＷ、ＺＷに代入することによって得られる。
【００７０】
（ＲＧＢＷ分離処理）
次に、図１３、図１４、及び図１５を参照して、ＲＧＢＷ分離処理について説明する。
【００７１】
図１３は、ＲＧＢＷ分離処理を示すフローチャートである。ＲＧＢＷ分離処理は、色変換装置５０内のＲＧＢＷ分離部５７が実行する。この処理は、ＲＧＢＷ→ＸＹＺ→ＲＧＢ変換部５６で処理されたＲＧＢのデータを、原色Ｗのベクトル成分を考慮して、ＲＧＢＷのデータに分離する処理である。なお、ＲＧＢＷ分離処理は、前述した３ＤＬＵＴの作成処理（図４参照）のステップＳ１０４で実行される。
【００７２】
まず、ステップＳ４０１では、ＲＧＢＷ分離部５７は、Ｗの原色ベクトルをＲＧＢの原色ベクトルにベクトル分解する。これにより、原色Ｗに含まれる成分が、ＲＧＢでそれぞれどのくらいの割合であるかを求めることができる。そして、こうして得られた割合に基づいて、Ｗが点灯する点のＲＧＢの調整を行うことができる。より具体的には、「Ｘｒ、Ｙｒ、Ｚｒ」をＲの原色ベクトルのＸＹＺ値とし、「Ｘｇ、Ｙｇ、Ｚｇ」をＧの原色ベクトルのＸＹＺ値とし、「Ｘｂ、Ｙｂ、Ｚｂ」をＢの原色ベクトルのＸＹＺ値とし、「Ｘｗ、Ｙｗ、Ｚｗ」をＷの原色ベクトルのＸＹＺ値とし、更に、「Ｗｒ、Ｗｇ、Ｗｂ」を原色Ｗ中のＲＧＢ成分の割合とすると、これらの間には、以下の式（４）が成立する。
【００７３】
【数４】
2008131349.tif 000006
そして、式（４）から、「Ｗｒ、Ｗｇ、Ｗｂ」は、以下の式（５）のように求めることができる。
【００７４】
【数５】
2008131349.tif 000007
以上のステップＳ４０１の処理が終了すると、処理はステップＳ４０２に進む。ステップＳ４０２では、ＲＧＢＷ分離部５７は、Ｗ値を決定する。具体的には、グレー軸に関してはＲＧＢＷの４要素が同じ値となるようにＷ値を決定し、その他の点はＷ成分を減じた後のＲＧＢ値における最小値をＷ値として決定する。詳しくは、ＲＧＢＷ→ＸＹＺ→ＲＧＢ変換後のＲＧＢ値を「Ｒ０、Ｇ０、Ｂ０」とすると、グレー軸におけるＷ値（Ｗ（Ｇｒａｙ））は式（７）から求められ、その他の点におけるＷ値（Ｗ）は式（６）で求められる。以上の処理が終了すると、処理はステップＳ４０３に進む。
【００７５】
【数６】
2008131349.tif 000008
【００７６】
【数７】
2008131349.tif 000009
なお、上記では、Ｗ成分を減じた後のＲＧＢ値における最小値をＷ値として決定する例を示したが（式（６）参照）、Ｗ成分を減じる前のＲＧＢ値における最小値をＷ値として決定しても良い。
【００７７】
ステップＳ４０３では、ＲＧＢＷ分離部５７は、ステップＳ４０２で求められたＷ値に基づいて、新たなＲＧＢ値を決定する。具体的には、ＲＧＢＷ分離部５７は、ＲＧＢＷ→ＸＹＺ→ＲＧＢ変換後のＲＧＢ値から、ステップＳ４０２で求められたＷ値に含まれるＲＧＢの成分をそれぞれ減じた値を、新たなＲＧＢの値とする。つまり、以下の式（８）に示すように、Ｗの成分をＲＧＢ値（Ｒ０、Ｇ０、Ｂ０）からそれぞれ減算することによって、新たなＲＧＢ値を得ることができる。以上の処理が終了すると、処理は当該フローを抜ける。
【００７８】
【数８】
2008131349.tif 000010
図１４は、ＲＧＢＷ分離処理の一例を示す図であり、横軸にＲ成分を示し、縦軸にＧ成分を示している。具体的には、図１４は、ＲＧＢをひとつのベクトルとしてＲＧＢとＷに分離したイメージ図である。
【００７９】
また、図１５は、ＲＧＢＷ分離処理を行った場合の結果の一例を示している。図１５（ａ）は、左に、ＸＹＺ値をＲＧＢ値に変換したときの結果（図１１に示すものと同一である）と、そのＲＧＢ値から得られた「Ｒ０／Ｗｒ、Ｇ０／Ｗｇ、Ｂ０／Ｗｂ」とを示し、右に、ＲＧＢＷ分離処理を行ったときの結果を示している。また、図１５（ｂ）は、ＲＧＢＷ分離処理に用いた、原色Ｗ中のＲＧＢ成分の割合「Ｗｒ、Ｗｇ、Ｗｂ」を示している。
【００８０】
（Ｗ値調整処理）
次に、図１６、図１７、及び図１８を参照して、Ｗ値調整処理について説明する。
【００８１】
図１６は、Ｗ値調整処理を示すフローチャートである。Ｗ値調整処理は、色変換装置５０内のＷ値調整部５８が実行する。この処理は、ＲＧＢＷ分離部５７で処理されたＲＧＢＷのデータに対して、輝度のバランスに基づいてＷ値を調整する処理である。具体的には、前述した２７点における輝度Ｙを計算し、その傾向に基づいてＷ値を減少させる処理である。このような処理を行うことは、最外郭面の輝度を落とし白の点灯を減少させることに相当する。これにより、最外郭面の頂点が下がるため、高輝度における色再現域を小さくすることができ、高輝度部の彩度を適切に再現することが可能となる。なお、Ｗ値調整処理は、前述した３ＤＬＵＴの作成処理（図４参照）のステップＳ１０５で実行される。
【００８２】
以下で、具体的に処理の内容を説明する。まず、ステップＳ５０１では、Ｗ値調整部５８は、ターゲットのＲＧＢＣＭＹｅの輝度Ｙを計算する（「Ｃ」はシアンを示し、「Ｍ」はマゼンダを示し、「Ｙｅ」は黄色を示している）。この比率を基に、Ｗが加わる点の輝度の比率を求める。この場合、一番値の低いＢにＷを加えた点の値を「０」、一番値の高いＹｅにＷを加えた点の値を「１」として比率の計算を行う。ここで、基準となる輝度値ＹＳは式（９）で表され、「Ａ」の色にＷを加えた輝度値の比率ＹＳ＿ＷＡは式（１０）で表される。
【００８３】
【数９】
2008131349.tif 000011
【００８４】
【数１０】
2008131349.tif 000012
なお、式（９）に示す輝度値ＹＳはＲＧＢＣＭＹｅ共通の値であり、式（１０）に示す輝度値の比率ＹＳ＿ＷＡは基準値として用いる。以上のステップＳ５０１の処理が終了すると、処理はステップＳ５０２に進む。
【００８５】
ステップＳ５０２では、Ｗ値調整部５８は、分離後のＲＧＢから輝度を求める。即ち、ＲＧＢＷに分離されたＲＧＢ値のみを用いて、デバイスにおけるＲＧＢＷ４原色の輝度を求める。具体的には、ＲＧＢのみで計算するオリジナル値の輝度値ＹＯ＿ｒｇｂは、以下の式（１１−１）、式（１１−２）のいずれかを用いて計算される。
【００８６】
【数１１】
2008131349.tif 000013
なお、オリジナル値の輝度値ＹＯ＿ｒｇｂを求めるために、式（１１−１）及び式（１１−２）のうちのいずれを用いても良い。以上の処理が終了すると、処理はステップＳ５０３に進む。
【００８７】
ステップＳ５０３では、Ｗ値調整部５８は、Ｗが加わる頂点のＷ値を減少させる処理を行う。こうするのは、Ｗが加わる点の輝度値を下げるためである。まず、調整後のＷ追加点の輝度値を求める。詳しくは、以下の式（１２−１）〜（１２−６）に従って輝度値を求める。
【００８８】
【数１２】
2008131349.tif 000014
この場合、「ＹＯ＿Ａ」はオリジナル値のＡ点での輝度値を示し、「ＹＡ」は調整後の値におけるＡ点での輝度値を示す。式（１２−１）に示すように、一番値の低いＢにＷを加えた点は、そのままの輝度値を用いる。これに対して、式（１２−２）に示すように、一番輝度値の高いＹｅにＷを加えた点は、Ｙｅの輝度をα倍した値を用いる。そして、式（１２−３）〜（１２−６）に示すように、式（１２−１）及び式（１２−２）から得られた輝度値ＹＷＢ、ＹＷＹｅと、ステップＳ５０１で得られた比率とを用いて、他の点の輝度値を求める。
【００８９】
次に、このようにして得られた輝度値に基づいて、Ｗ値を決定する。具体的には、以下の式（１３−１）〜（１３−６）で示すように、ステップＳ５０２で得られた輝度値から、上記した式（１２−１）〜（１２−６）で得られた輝度値を減算した値を、Ｗ値として決定する。
【００９０】
【数１３】
2008131349.tif 000015
式（１３−１）〜（１３−６）に基づいてＷ値を決定することにより、輝度が高い色ほどＷ値が大きく減少されることとなる。言い換えると、輝度が低い色ほどＷ値が減少される量が小さくなる。以上のステップＳ５０３の処理が終了すると、処理は当該フローを抜ける。
【００９１】
上記のＷ値調整処理によれば、高輝度で原色Ｗが追加される色（例えば黄色など）に関して、白くなりすぎるのを防止することができ、彩度を適切に再現することが可能となる。
【００９２】
図１７は、Ｗ値調整処理の一例を示す図であり、横軸にＲ成分を示し、縦軸にＧ成分を示している。図１７に示すように、原色ベクトル拡大後のターゲットの大きさは細い点線９０で示す部分であるが、Ｗ値を減少させることにより太い点線９１で示す大きさにまで縮小される。これにより、輝度の高い領域で白く再現されていた色（細い点線矢印９２で示す）は輝度を少し下げた領域（太い点線矢印９３で示す）で再現される。そのため、輝度が急激に上がることがないので、周囲の色ともなじみやすくなると言える。
【００９３】
図１８は、Ｗ値調整処理を行った場合の結果の一例を示している。図１８は、左に、ＲＧＢＷ分離処理を行ったときの結果を示しており（図１５に示すものと同一である）、右に、Ｗ値調整処理を行ったときの結果を示している。これより、輝度が最も低いＢ（G.No 14）はＷ値が変化しておらず、輝度が比較的低いＲ（G.No 22）はＷ値の減少が小さいことがわかる。これに対して、輝度が最も高いＹｅ（G.No 25）はＷ値の減少がかなり大きく、輝度が比較的高いＣ（G.No 17）はＷ値の減少が比較的大きいことがわかる。
【００９４】
［変形例］
上記した処理において行う演算は、基本的には回路で行うことを想定しているが、ソフトウェア処理によって演算を行っても良い。例えば、色変換装置５０が有する機能は、ＣＰＵ（コンピュータ）に実行させる色変換プログラムにより実現することができる。なお、色変換プログラムは、予めハードディスクやＲＯＭに格納されていることとしてもよいし、またはＣＤ−ＲＯＭなどのコンピュータが読み取り可能な記録媒体によって外部から供給され、ＣＤ−ＲＯＭドライブが読み取った色変換プログラムをハードディスクに格納するものとしてもよい。
【図面の簡単な説明】
【００９５】
【図１】本実施形態に係る画像表示装置の概略構成を示すブロック図である。
【図２】色変換回路などの具体的な構成を示すブロック図である。
【図３】色変換装置の概略構成を示すブロック図である。
【図４】３ＤＬＵＴの作成処理を示すフローチャートである。
【図５】最外郭面の頂点座標（グリッド）を求める方法を説明するための図である。
【図６】色を割り当てた場合に得られた対応表を示す。
【図７】原色拡大処理を示すフローチャートである。
【図８】原色拡大処理を具体的に説明するための図である。
【図９】原色拡大処理を行った場合の結果の一例を示す。
【図１０】ＲＧＢＷ→ＸＹＺ→ＲＧＢ変換処理を示すフローチャートである。
【図１１】ＲＧＢＷ→ＸＹＺ→ＲＧＢ変換処理を行った場合の結果の一例を示す。
【図１２】ＲＧＢＷ→ＸＹＺ用変換行列を求める方法を説明するための図である。
【図１３】ＲＧＢＷ分離処理を示すフローチャートである。
【図１４】ＲＧＢＷ分離処理の一例を示す図である。
【図１５】ＲＧＢＷ分離処理を行った場合の結果の一例を示す。
【図１６】Ｗ値調整処理を示すフローチャートである。
【図１７】Ｗ値調整処理の一例を示す図である。
【図１８】Ｗ値調整処理を行った場合の結果の一例を示す。
【符号の説明】
【００９６】
１０  画像処理部、  １１  Ｉ／Ｆ制御回路、  １２  色変換回路、  １３  ＶＲＡＭ、  １４  アドレス制御回路、  １５  テーブル格納メモリ、  １６  γ補正回路、  ２０  表示部、  ２３  表示パネル、  ５０  色変換装置、  ５１  最外郭面グリッド計算部、  ５４  原色拡大部、  ５６  ＲＧＢＷ→ＸＹＺ→ＲＧＢ変換部、  ５７  ＲＧＢＷ分離部、  ５８  Ｗ値調整部、  １００  画像表示装置、  １２２  色変換部
【図１】
2008131349.tif 000016
【図２】
2008131349.tif 000017
【図３】
2008131349.tif 000018
【図４】
2008131349.tif 000019
【図５】
2008131349.tif 000020
【図６】
2008131349.tif 000021
【図７】
2008131349.tif 000022
【図８】
2008131349.tif 000023
【図９】
2008131349.tif 000024
【図１０】
2008131349.tif 000025
【図１１】
2008131349.tif 000026
【図１２】
2008131349.tif 000027
【図１３】
2008131349.tif 000028
【図１４】
2008131349.tif 000029
【図１５】
2008131349.tif 000030
【図１６】
2008131349.tif 000031
【図１７】
2008131349.tif 000032
【図１８】
2008131349.tif 000033